(57)【要約】【課題】入力を無効とする操作部を使用者によって選択できる加熱調理器を提供することを目的とする。【解決手段】トッププレート１２上に載置される調理容器を加熱する複数の加熱部１５と、トッププレート１２の下方に加熱部１５に対応して設けた複数の加熱手段１４と、それぞれの加熱手段１４に対応して設けた加熱調理を行うための命令を入力する操作部１６と、操作部１６への入力操作を検知する検知部１７と、検知部１７からの信号により加熱手段１４を制御する制御手段１８と、操作部１６のうち入力を無効とするものを選択する選択手段１９とを備え、選択手段１９により選択された操作部１６からの入力を無効とすることにより、不測の事態が発生すると予想される操作部の誤操作を防止することができる。【選択図】図２
2005158389.tif 000002
【特許請求の範囲】
【請求項１】
外郭を構成する本体と、前記本体の上面に設けたトッププレートと、前記トッププレート上方に載置される調理容器を加熱する複数の加熱部と、前記トッププレートの下方に前記加熱部に対応して設けた複数の加熱手段と、それぞれの前記加熱手段に対応して設けた加熱調理を行うための命令を入力する操作部と、前記操作部への入力操作を検知する検知部と、前記検知部からの信号により前記加熱手段を制御する制御手段と、前記操作部のうち入力を無効とするものを選択する選択手段とを備え、前記選択手段により選択された操作部からの入力を無効とする加熱調理器。
【請求項２】
操作部は同一命令を入力するものを異なる位置に複数または複数組設け、選択手段により選択された操作部または操作部の組からの入力を無効とする請求項１に記載の加熱調理器。
【請求項３】
選択手段による選択結果を記憶する記憶手段を備えた請求項１または２に記載の加熱調理器。
【請求項４】
表示手段を備え、選択手段により入力を無効としている操作部または操作部の組を表示する請求項１〜３のいずれか１項に記載の加熱調理器。
【請求項５】
操作部のうち少なくとも一つは本体前面に設けた請求項１〜４のいずれか１項に記載の加熱調理器。
【請求項６】
操作部のうち少なくとも一つはトッププレートまたはトッププレートを配設したトップフレーム上面に設けた請求項１〜５のいずれか１項に記載の加熱調理器。
【請求項７】
加熱手段のうち少なくとも１つは誘導加熱手段である請求項１〜６のいずれか１項に記載の加熱調理器。
【発明の詳細な説明】
【技術分野】
【０００１】
本発明は、一般家庭におけるキッチンや業務用などに用いられる加熱調理器に関するものである。
【背景技術】
【０００２】
従来、この種の加熱調理器として誘導加熱調理器が普及しており、複数の加熱手段に対応して設けた加熱調理の命令入力を行う操作部をすべてトッププレート上面に設けたもの（例えば、特許文献１参照）、あるいは操作部をトッププレート上面と本体前面との２箇所に別けて設け、本体前面の操作部にはトッププレート上面の操作部の操作を禁止する手段を設けたもの（例えば、特許文献２参照）などが知られている。
【特許文献１】特開平１０−２１４６７号公報
【特許文献２】特開２００３−７７６３４号公報
【発明の開示】
【発明が解決しようとする課題】
【０００３】
しかしながら、前記従来の構成において、操作部をすべてトッププレート上面に設けたものでは、例えば、調理中、使用者が誤って調理容器をずらしたりした場合、その拍子に調理容器の底部で不要な操作部を操作したり、不用意に使用者の手が操作部に触れて誤操作しまうことが生じた。また、操作部をトッププレート上面と本体の前面との２箇所に別けて設け、本体前面の操作部にはトッププレート上面の操作部の操作を禁止する手段を設けたものでは、操作部の誤操作問題は少なくなるが、本体前面の操作部は背の低い子供にも手の届く位置であることから、子供の悪戯により誤操作が発生するという課題があった。
【０００４】
本発明は、前記従来の課題を解決するもので、加熱調理の命令入力を行う操作部の誤操作をなくすことができる加熱調理器を提供することを目的とする。
【課題を解決するための手段】
【０００５】
前記従来の課題を解決するために、本発明の加熱調理器は、加熱調理の命令入力を行う操作部のうち入力を無効とするものを選択手段により選択するようにし、選択手段により選択された操作部からの入力を無効とするようにしたものである。
【０００６】
これによって、使用者は誤操作が発生する恐れがある操作部からの入力を無効とするように選択手段により選択することができるので、操作部の誤操作をなくすことができ、使い勝手が良く、安全性が確保できるものである。
【発明の効果】
【０００７】
本発明の加熱調理器は、操作部の誤操作をなくすことができ、使い勝手が良く、安全性が確保できるものである。
【発明を実施するための最良の形態】
【０００８】
第１の発明は、外郭を構成する本体と、前記本体の上面に設けたトッププレートと、前記トッププレート上方に載置される調理容器を加熱する複数の加熱部と、前記トッププレートの下方に前記加熱部に対応して設けた複数の加熱手段と、それぞれの前記加熱手段に対応して設けた加熱調理を行うための命令を入力する操作部と、前記操作部への入力操作を検知する検知部と、前記検知部からの信号により前記加熱手段を制御する制御手段と、前記操作部のうち入力を無効とするものを選択する選択手段とを備え、前記選択手段により選択された操作部からの入力を無効とする加熱調理器とすることにより、使用者は誤操作が発生する恐れがある操作部からの入力を無効とするように選択手段により選択することができるので、操作部の誤操作をなくすことができ、使い勝手が良く、安全性が確保できるものである。
【０００９】
第２の発明は、特に、第１の発明において、操作部は同一命令を入力するものを異なる位置に複数または複数組設け、選択手段により選択された操作部または操作部の組からの入力を無効とすることにより、使用者は誤操作が発生する恐れがある異なる位置の操作部または操作部の組からの入力を無効とするように選択手段により選択することができるので、使用者にとって操作部の誤操作をなくすことができ、使い勝手が良く、安全性が確保できるものである。特に、操作部の組で選択するものは、まとめて選択できるので、個々の操作部を設定する手間を省くことができる。
【００１０】
第３の発明は、特に、第１または第２の発明において、選択手段による選択結果を記憶する記憶手段を備えたことにより、選択手段によりある操作部からの入力を無効としている際に通電を遮断しても、再通電時には前回の設定を継続することができ、再通電の度に使用者によって再設定するといった手間を省くことで、使い勝手を向上させることができる。
【００１１】
第４の発明は、特に、第１〜第３のいずれか１つの発明において、表示手段を備え、選択手段により入力を無効としている操作部または操作部の組を表示することにより、入力を無効としている操作部または操作部の組が視覚的に明確になり、使い勝手を向上させることができる。
【００１２】
第５の発明は、特に、第１〜第４のいずれか１つの発明において、操作部のうち少なくとも一つは本体前面に設けたことにより、本体前面で操作性を確保しつつ、子供の悪戯によりまたは使用者の体が不用意に触れたなどが原因で誤操作が起こりうることをなくし、使い勝手が良く、安全性が確保できるものである。
【００１３】
第６の発明は、特に、第１〜第５のいずれか１つの発明において、操作部のうち少なくとも一つはトッププレートまたはトッププレートを配設したトップフレーム上面に設けたことにより、トッププレート上面部で操作性を確保しつつ、調理中に調理容器や使用者の手が不意に触れるなどが原因で誤操作が起こりうることをなくし、使い勝手が良く、安全性が確保できるものである。
【００１４】
第７の発明は、特に、第１〜第６のいずれか１つの発明において、加熱手段のうち少なくとも１つは誘導加熱手段であることにより、外部より加熱手段に対して電力が供給されているか否かが分かりにくい誘導加熱手段に対しても誤操作による加熱開始を防止し、安全性を確保することができる。
【００１５】
以下、本発明の実施の形態について、図面を参照しながら説明する。なお、この実施の形態によって本発明が限定されるものではない。
【００１６】
（実施の形態１）
図１、図２は本発明の実施の形態１における加熱調理器を示すものである。
【００１７】
図１において、加熱調理器の外郭を構成する本体１１の上面は耐熱性ガラス製のトッププレート１２がトップフレーム１３により外周を覆われて設けられている。本体１１内のトッププレート１２の下面には、図２に示した加熱手段１４が配置されている。本実施の形態では、加熱手段１４は、誘導加熱によって調理容器を加熱することで被調理物を加熱する２つの誘導加熱コイルと、誘導加熱では使えない調理容器を用いて加熱するラジェントヒータより構成されている。また、トッププレート１２の上面上には加熱手段１４が配設されている位置に対応して、トッププレート１２上方に載置される調理容器を加熱する複数の加熱部１５が設けられている。すなわち、本実施の形態における誘導加熱部１５ａ、１５ｂおよびラジェント加熱部１５ｃである。トッププレート１２の上面上には、それぞれの加熱手段１４に対応して設けた加熱調理を行うための命令を入力する操作部１６が設けられている。この操作部１６は、本実施の形態では、同一命令を入力するものを異なる位置に複数個、すなわち左右に別けて３個づつ、計６個設けている。なお、操作部１６はトッププレート１２ではなくトップフレーム１３に設けるようにしても良い。
【００１８】
また、本体１１の内部には、操作部１６への入力操作を検知する検知部１７と、検知部１７からの信号により加熱手段１４を制御する制御手段１８と、操作部１６のうち入力を無効とするものを選択する選択手段１９と、選択手段１９の選択結果を記憶する記憶手段２０とが設けられている。前記選択手段１９は、例えば、通常操作とは異なる操作、すなわち選択された操作部１６を長押しする、複数の操作部１６を同時押しするなどにより構成するか、あるいは専用の選択スイッチを設けて構成すると言ったものであり、特に、その手段は限定されるものではない。
【００１９】
次に、上記加熱調理器の動作、作用について説明する。
【００２０】
使用者は調理するに当たって、その調理に適した加熱部１５を選択する。いま、左側の誘導加熱部１５ａを選択したとする。使用者は調理容器を誘導加熱部１５ａに載置した後、誘導加熱部１５ａの加熱開始に相当する操作部１６を押圧すると、検知部１７がこれを検知し、制御手段１８が誘導加熱コイルに通電を指示することで加熱が開始する。ここで、左手で調理容器を持ち調理を行う使用者にとっては、操作部１６が右側にあった方が使い勝手が良く、また、左側の操作部１６は調理容器がずれた場合に調理容器の底部によって誤操作される可能性がある。
【００２１】
そこで、例えば、使用者は右側に配置した３個の操作部１６のうち２個同時に押圧する。これにより選択手段１９が動作し左側に配置した３個の操作部１６からの入力は無効となる。なお、選択手段１９による選択方法は、先に記述したように操作部１６の２個同時押圧に限定されるものではない。
【００２２】
以上のように、本実施の形態においては、操作部１６を選択する選択手段１９を備えることにより、使用者にとって使い勝手の良い操作部１６の位置で加熱調理器を使用することができる。なお、猫などの小動物が操作部１６上を歩くことにより、使用者の知らない間に加熱手段１４が動作するような不側事態防止にも、選択手段１９による選択によって対応することができる。
【００２３】
また、記憶手段２０は選択結果を記憶することが可能となるので、ある操作部１６を無効とした状態で通電が遮断した場合には、再通電すると前回の設定を継続させることができる。これにより、再通電の度に使用者が設定を行う手間を省くことができ、使い勝手は向上する。
【００２４】
また、本実施の形態では、トッププレート１２上面上に操作部１６を設けた場合を示したが、操作部１６を本体１１側面左右に設ける場合には、加熱調理器に対する使用者の立ち位置によっては操作部１６に身体が触れて誤操作することが予想されるので、立ち位置側の操作部１６を無効とすることで調理中の誤操作を防ぐことができ、安全性が確保できる。
【００２５】
また、本実施の形態では、加熱手段１４を誘導加熱手段およびラジェントヒータで構成したが、加熱手段はハロゲンヒータやシーズヒータなどの電気抵抗によるものや、ガスコンロであっても同様の効果を有する。
【００２６】
また、本実施の形態では、操作部１６を左右に別けて３個づつ、２箇所に設けたが、同一命令を行う操作部１６は２箇所に限定されるものではない。さらに、操作部１６としては、同一命令を入力するものを複数箇所に設けた場合について説明したが、これに限られるものではない。すなわち加熱手段１４に対応する３個の操作部１６を１箇所にのみ設けた場合（操作部をすべてトッププレート上面に設けた従来のものに相当）における３個の操作部１６間においても、選択手段１９を備えることにより、他の操作部１６からの入力を無効とするようにできる。この場合においても、本実施の形態と同様な効果が得られる。
【００２７】
（実施の形態２）
図３、図４は、本発明の実施の形態２における加熱調理器を示すものである。実施の形態１と同一要素については同一符号を付して説明を省略する。
【００２８】
本実施の形態においては、操作部１６が、第１の操作部の組１６ａと第２の操作部の組１６ｂとに組別けされているものである。前記第１の操作部の組１６ａは、本体１１の前面部に開閉収納式となるように構成され、第１の操作部の組１６ａにおける操作に応じて各種状態を表示する表示手段２１が併設されている。また、第２の操作部の組１６ｂは、トッププレート１２の上面上に設けられている。そして、操作部の組１６ａ、１６ｂは、同一命令を入力するものであり、選択手段１９により選択された操作部の組１６ａまたは１６ｂからの入力を無効とするものである。
【００２９】
なお、実施の形態１においては図示していなかったが、加熱手段１４は、誘導加熱によって調理容器を加熱することで被調理物を加熱する２つの誘導加熱コイル１４ａ、１４ｂと、誘導加熱では使えない調理容器を用いて加熱するラジェントヒータ１４ｃより構成されている。
【００３０】
次に、上記加熱調理器の動作、作用について説明する。
【００３１】
使用者は調理するに当たって、その調理に適した加熱方式を選択する。いま、誘導加熱部１５ａを選択したとする。
【００３２】
使用者は調理容器を加熱部１５に載置した後、第２の操作部の組１６ｂにある誘導加熱部１５ａの加熱開始に相当する操作部を押圧すると、検知部１７がこれを検知し、制御手段１８が誘導加熱コイル１４ａに通電を指示し、加熱が開始される。使用者が加熱調理器から目を離す時、使用者は第１の操作部の組１６ａにある操作部を、例えば、３秒間長押しする。このようにすることで選択手段１９より第１の操作部の組１６ａからの入力を無効とし、表示手段２１は第１の操作部の組１６ａが無効となっていることを表示する。選択手段１９による選択方法については、実施の形態１で説明したとおり、限定されるものではない。
【００３３】
ここで、使用者が加熱調理器から目を離している間に子供が加熱調理器に近づき、使用者の予測通り手の届く第１の操作部の組１６ａにある操作部を押圧することで遊び始めても、第１の操作部の組１６ａからの入力は無効となっているので、加熱調理器は子供の悪戯に対して何ら影響を受けない。また、逆に、第２の操作部の組１６ｂからの入力を無効とすることも同様に選択することができる。
【００３４】
以上のように、本実施の形態においては、複数ある操作部１６ａ、１６ｂの組のうち使用者によって入力を無効とする操作部の組１６ａまたは１６ｂを選択する選択手段１９を備えることにより、使用者が加熱調理器から目を離した間に第１の操作部の組１６ａを子供が悪戯して触ったり、調理中に誤って第２の操作部の組１６ｂに手が触れたり小動物が第２の操作部の組１６ｂ上を踏んだりしたとしても、加熱手段１４が勝手に通電や入力電力の変更をさせることなく、安全が確保される。
【００３５】
なお、本実施の形態においても、実施の形態１における記憶手段２０を備えることができるものであり、逆に、本実施の形態における表示手段２１を実施の形態１に備えることもできる。このように、各実施の形態そのものに限られるものではなく、必要に応じて適宜組み合わせることができるものである。
【産業上の利用可能性】
【００３６】
以上のように、本発明にかかる加熱調理器は、使用者にとって操作部の誤操作をなくすことができ、使い勝手が良く、安全性が確保できるものであるので、一般キッチンや業務用などに用いられる加熱調理器だけでなく、操作部を有する調理機器全般に適用できる。
【図面の簡単な説明】
【００３７】
【図１】本発明の実施の形態１における加熱調理器の平面図
【図２】同加熱調理器の加熱制御を示すブロック図
【図３】本発明の実施の形態２における加熱調理器の分解斜視図
【図４】同加熱調理器の加熱制御を示すブロック図
【符号の説明】
【００３８】
１１  本体
１２  トッププレート
１３  トッププフレーム
１４  加熱手段
１５  加熱部
１６  操作部
１６ａ  第１の操作部の組
１６ｂ  第２の操作部の組
１７  検知部
１８  制御手段
１９  選択手段
２０  記憶手段
２１  表示手段
【図１】
2005158389.tif 000003
【図２】
2005158389.tif 000004
【図３】
2005158389.tif 000005
【図４】
2005158389.tif 000006